(57)【要約】【課題】高周波ノイズの除去効果を高めるため、等価直列インダクタンスの低減を図り得るとともに、剥がれの問題を生じさせにくくすることができる、積層貫通型コンデンサを提供する。【解決手段】コンデンサ本体２８において、信号側内部電極３４に対して絶縁層３３を介して対向するグラウンド側内部電極３５について、第１および第２の側面２６および２７上にまでそれぞれ引き出されるように、各複数個の第１および第２のグラウンド側引出し部３８ａ〜３８ｄおよび３９ａ〜３９ｄを設け、これらを、それぞれ、隣り合うものの間で間隔４０を隔てた状態で第１および第２の側面２６および２７に沿って配列する。【選択図】        図２
2005032900.tif 000002
【特許請求の範囲】
【請求項１】
相対向する第１および第２の主面と、前記第１および第２の主面間を連結するように延びる、相対向する第１および第２の端面ならびに相対向する第１および第２の側面とを有する、直方体状のコンデンサ本体と、
前記第１および第２の端面上にそれぞれ形成される、第１および第２の信号側外部端子電極と、
前記第１および第２の側面上にそれぞれ形成される、第１および第２のグラウンド側外部端子電極とを備え、
前記コンデンサ本体は、前記主面の方向に延びかつ積層された複数の絶縁層、ならびに前記絶縁層を介して互いに対向する少なくとも１対の信号側内部電極およびグラウンド側内部電極を備え、
前記信号側内部電極は、前記第１および第２の端面上にまでそれぞれ引き出される第１および第２の信号側引出し部を有し、前記第１および第２の信号側引出し部は、それぞれ、前記第１および第２の信号側外部端子電極に電気的に接続され、
前記グラウンド側内部電極は、前記第１および第２の側面上にまでそれぞれ引き出される第１および第２のグラウンド側引出し部を有し、前記第１および第２のグラウンド側引出し部は、それぞれ、前記第１および第２のグラウンド側外部端子電極に電気的に接続され、
前記第１および第２のグラウンド側引出し部は、それぞれ、複数個あり、各複数個の前記第１および第２のグラウンド側引出し部が、それぞれ、隣り合うものの間で間隔を隔てた状態で、前記第１および第２の側面に沿って配列されている、積層貫通型コンデンサ。
【請求項２】
前記第１のグラウンド側引出し部と前記第２のグラウンド側引出し部とは、前記側面と平行に延びる前記主面の中心線を対称軸として対称に配置されている、請求項１に記載の積層貫通型コンデンサ。
【請求項３】
前記第１および第２のグラウンド側引出し部の各々の少なくとも一部は、前記グラウンド側内部電極の、前記側面と平行に延びる各辺の端部に配置されている、請求項１または２に記載の積層貫通型コンデンサ。
【請求項４】
複数個の前記第１のグラウンド側引出し部の各々に電気的に接続されるように、複数個の前記第１のグラウンド側外部端子電極が前記第１の側面上に形成され、複数個の前記第２のグラウンド側引出し部の各々に電気的に接続されるように、複数個の前記第２のグラウンド側外部端子電極が前記第２の側面上に形成されている、請求項１ないし３のいずれかに記載の積層貫通型コンデンサ。
【請求項５】
各々複数個の前記第１および第２のグラウンド側外部端子電極が形成され、複数個の前記第１のグラウンド側外部端子電極は、互いに異なる幅方向寸法を有するものを含み、複数個の前記第２のグラウンド側外部端子電極は、互いに異なる幅方向寸法を有するものを含む、請求項１ないし４のいずれかに記載の積層貫通型コンデンサ。
【請求項６】
各々複数個の前記第１および第２のグラウンド側外部端子電極は、それぞれ、前記第１および第２の側面の端部に位置するものが中央部に位置するものより幅方向寸法が小さくされている、請求項５に記載の積層貫通型コンデンサ。
【請求項７】
相対向する第１および第２の主面と、前記第１および第２の主面間を連結するように延びる、相対向する第１および第２の端面ならびに相対向する第１および第２の側面とを有する、直方体状のコンデンサ本体と、
前記第１および第２の端面上にそれぞれ形成される、各々複数個の第１および第２の信号側外部端子電極と、
前記第１および第２の側面上にそれぞれ形成される、各々複数個の第１および第２のグラウンド側外部端子電極とを備え、
前記コンデンサ本体は、前記主面の方向に延びかつ積層された複数の絶縁層、ならびに前記絶縁層を介して互いに対向する複数個の信号側内部電極および少なくとも１個のグラウンド側内部電極を備え、
複数個の前記信号側内部電極は、前記主面の方向に配列され、
各前記信号側内部電極は、前記第１および第２の端面上にまでそれぞれ引き出される第１および第２の信号側引出し部を有し、前記第１および第２の信号側引出し部は、それぞれ、前記第１および第２の信号側外部端子電極に電気的に接続され、
前記グラウンド側内部電極は、前記第１および第２の側面上にまでそれぞれ引き出される第１および第２のグラウンド側引出し部を有し、前記第１および第２のグラウンド側引出し部は、それぞれ、前記第１および第２のグラウンド側外部端子電極に電気的に接続され、
前記第１および第２のグラウンド側引出し部は、それぞれ、複数個あり、各複数個の前記第１および第２のグラウンド側引出し部が、それぞれ、隣り合うものの間で間隔を隔てた状態で、前記第１および第２の側面に沿って配列されている、積層貫通型コンデンサアレイ。
【発明の詳細な説明】
【０００１】
【発明の属する技術分野】
この発明は、積層貫通型コンデンサおよび積層貫通型コンデンサアレイに関するもので、特に、グラウンド側内部電極からグラウンド側外部端子電極への引出し構造に関するものである。
【０００２】
【従来の技術】
図１２には、この発明にとって興味ある従来の積層貫通型コンデンサ１が示されている（たとえば、特許文献１の図２参照）。図１２は、積層貫通型コンデンサ１の内部構造を特定の断面をもって示す平面図であり、（ａ）と（ｂ）とは互いに異なる断面を表している。
【０００３】
積層貫通型コンデンサ１は、相対向する第１および第２の主面と、第１および第２の主面間を連結するように延びる、相対向する第１および第２の端面２および３ならびに相対向する第１および第２の側面４および５とを有する、直方体状のコンデンサ本体６を備えている。
【０００４】
コンデンサ本体６の第１および第２の端面２および３上には、それぞれ、第１および第２の信号側外部端子電極７および８が形成され、他方、第１および第２の側面４および５上には、それぞれ、第１および第２のグラウンド側外部端子電極９および１０が形成されている。
【０００５】
コンデンサ本体６は、その主面の方向に延びかつ積層された複数の絶縁層１１、ならびに絶縁層１１を介して互いに対向する少なくとも１対の信号側内部電極１２およびグラウンド側内部電極１３を備えている。絶縁層１１は、たとえば誘電体セラミックから構成される。信号側内部電極１２は、積層貫通型コンデンサ１において、貫通導体を構成するものである。
【０００６】
信号側内部電極１２が図１２（ａ）に示され、グラウンド側内部電極１３が図１２（ｂ）に示されていることからわかるように、図１２（ａ）は、信号側内部電極１２が通る断面を示し、図１２（ｂ）は、グラウンド側内部電極１３が通る断面を示している。
【０００７】
図１２（ａ）に示すように、信号側内部電極１２は、第１および第２の端面２および３上にまでそれぞれ引き出される第１および第２の信号側引出し部１４および１５を有し、これら第１および第２の信号側引出し部１４および１５は、それぞれ、第１および第２の信号側外部端子電極７および８に電気的に接続される。
【０００８】
他方、図１２（ｂ）に示すように、グラウンド側内部電極１３は、第１および第２の側面４および５上にまでそれぞれ引き出される第１および第２のグラウンド側引出し部１６および１７を有し、これら第１および第２のグラウンド側引出し部１６および１７は、それぞれ、第１および第２のグラウンド側外部端子電極９および１０に電気的に接続される。
【０００９】
このような積層貫通型コンデンサ１が、たとえばバイパスコンデンサとして用いられるとき、除去されるべき高周波ノイズを含む信号が信号側内部電極１２を流れるように、信号または電源ラインに信号側外部端子電極７および８が接続される。他方、グラウンド側外部端子電極９および１０が接地され、それによって、グラウンド側内部電極１３にグラウンド電位が与えられる。そして、信号側内部電極１２からグラウンド側内部電極１３にノイズ電流を流すことによって、高周波ノイズが除去される。
【００１０】
他方、上述のように除去されるべきノイズのさらなる高周波化に対応するためには、ノイズ除去のために用いられる積層貫通型コンデンサの、高周波領域における挿入損失特性の劣化を防止しなければならず、そのためには、積層貫通型コンデンサの等価直列インダクタンス（ＥＳＬ）をより小さくすることが望まれる。このような要望を満たし得る積層貫通型コンデンサとして、図１３を参照して説明するようなものが提案されている（たとえば、特許文献１の図１参照）。
【００１１】
図１３は、図１２（ｂ）に対応する図である。図１３において、図１２（ｂ）に示す要素に相当する要素には同様の参照符号を付し、重複する説明は省略する。
【００１２】
図１３に示した積層貫通型コンデンサ１ａは、図１３に示したグラウンド側内部電極１３ａと図１２（ａ）に示した信号側内部電極１２とが絶縁層１１を介して互いに対向する状態とされたコンデンサ本体６を備えている。
【００１３】
グラウンド側内部電極１３ａは、コンデンサ本体６の第１および第２の側面４および５の各々の全域に露出し、かつ第１および第２の端面２および３の各一部にまで露出する、第１および第２のグラウンド側引出し部１６ａおよび１７ａを有している。そして、第１および第２のグラウンド側外部端子電極９ａおよび１０ａは、それぞれ、コンデンサ本体６の第１および第２の側面４および５の全域にわたって延び、かつ第１および第２の端面２および３の各一部にまで延びるように形成されている。
【００１４】
このような構成によれば、静電容量を形成する信号側内部電極１２とグラウンド側内部電極１３ａとの対向部分とグラウンド側外部端子電極９ａおよび１０ａとの間の信号線路について、線路幅を広くし、かつ距離を短くできるので、ＥＳＬを小さくすることができる。
【００１５】
【特許文献１】
特開２００３−１００５５２号公報
【００１６】
【発明が解決しようとする課題】
しかしながら、図１３に示した積層貫通型コンデンサ１ａでは、次のような解決されるべき課題がある。
【００１７】
まず、信号側外部端子電極７および８とグラウンド側外部端子電極９ａおよび１０ａとの間の距離を十分に確保することが困難であるため、積層貫通型コンデンサ１ａの耐電圧特性が劣化することがある。
【００１８】
また、コンデンサ本体６の製造に際して、絶縁層１１となるセラミックグリーンシートを積層し、得られた積層体を焼成することが行なわれる。この場合、所定のセラミックグリーンシート上には、グラウンド側内部電極１３ａとなる導電性ペースト膜が形成されている。しかしながら、図１３からわかるように、グラウンド側内部電極１３ａとなる導電性ペースト膜は、絶縁層１１となるセラミックグリーンシートの大部分を覆うので、セラミックグリーンシートの積層状態において、セラミックグリーンシート間の密着力が不十分となることがある。特に、絶縁層１１となるセラミックグリーンシートの周囲の大部分が、グラウンド側内部電極１３ａとなる導電性ペースト膜によって覆われているため、焼成前にあっては、セラミックグリーンシート間の剥がれが生じやすく、焼成後にあっては、絶縁層１１間の剥がれが生じやすい。
【００１９】
なお、上述した剥がれの問題は、図１２に示した積層貫通型コンデンサ１においても、グラウンド側引出し部１６および１７が比較的幅広であるので、程度の差こそあれ、同様に遭遇し得る。
【００２０】
そこで、この発明の目的は、上述のような課題を解決し得る積層貫通型コンデンサを提供しようとすることである。
【００２１】
この発明の他の目的は、同様の課題を解決し得る積層貫通型コンデンサアレイを提供しようとすることである。
【００２２】
【課題を解決するための手段】
この発明に係る積層貫通型コンデンサは、相対向する第１および第２の主面と、第１および第２の主面間を連結するように延びる、相対向する第１および第２の端面ならびに相対向する第１および第２の側面とを有する、直方体状のコンデンサ本体を備えている。
【００２３】
また、この積層貫通型コンデンサは、第１および第２の端面上にそれぞれ形成される、第１および第２の信号側外部端子電極と、第１および第２の側面上にそれぞれ形成される、第１および第２のグラウンド側外部端子電極とを備えている。
【００２４】
上記コンデンサ本体は、上記主面の方向に延びかつ積層された複数の絶縁層、ならびに絶縁層を介して互いに対向する少なくとも１対の信号側内部電極およびグラウンド側内部電極を備えている。
【００２５】
信号側内部電極は、第１および第２の端面上にまでそれぞれ引き出される第１および第２の信号側引出し部を有し、これら第１および第２の信号側引出し部は、それぞれ、前述の第１および第２の信号側外部端子電極に電気的に接続される。
【００２６】
他方、グラウンド側内部電極は、第１および第２の側面上にまでそれぞれ引き出される第１および第２のグラウンド側引出し部を有し、これら第１および第２のグラウンド側引出し部は、それぞれ、前述の第１および第２のグラウンド側外部端子電極に電気的に接続される。
【００２７】
このような構成を備える積層貫通型コンデンサにおいて、前述した技術的課題を解決するため、第１および第２のグラウンド側引出し部は、それぞれ、複数個あり、各複数個の第１および第２のグラウンド側引出し部が、それぞれ、隣り合うものの間で間隔を隔てた状態で、第１および第２の側面に沿って配列されていることを特徴としている。
【００２８】
この発明に係る積層貫通型コンデンサにおいて、第１のグラウンド側引出し部と第２のグラウンド側引出し部とは、側面と平行に延びる主面の中心線を対称軸として対称に配置されていることが好ましい。
【００２９】
また、第１および第２のグラウンド側引出し部の各々の少なくとも一部は、グラウンド側内部電極の、側面と平行に延びる各辺の端部に配置されていることが好ましい。
【００３０】
この発明に係る積層貫通型コンデンサにおいて、第１のグラウンド側外部端子電極は、複数個の第１のグラウンド側引出し部に共通に電気的に接続されるように幅広に形成され、第２のグラウンド側外部端子電極についても、複数個の第２のグラウンド側引出し部に共通に電気的に接続されるように幅広に形成されてもよいが、好ましくは、複数個の第１のグラウンド側引出し部の各々に電気的に接続されるように、複数個の第１のグラウンド側外部端子電極が第１の側面上に形成され、かつ、複数個の第２のグラウンド側引出し部の各々に電気的に接続されるように、複数個の第２のグラウンド側外部端子電極が第２の側面上に形成される。
【００３１】
たとえば、上述の好ましい実施態様の場合のように、各々複数個の第１および第２のグラウンド側外部端子電極が形成される場合、複数個の第１のグラウンド側外部端子電極は、互いに異なる幅方向寸法を有するものを含み、複数個の第２のグラウンド側外部端子電極は、互いに異なる幅方向寸法を有するものを含んでいてもよい。
【００３２】
上述の場合、各々複数個の第１および第２のグラウンド側外部端子電極は、それぞれ、第１および第２の側面の端部に位置するものが中央部に位置するものより幅方向寸法が小さくされていることが好ましい。
【００３３】
この発明は、積層貫通型コンデンサアレイにも向けられる。
【００３４】
この発明に係る積層貫通型コンデンサアレイは、相対向する第１および第２の主面と、第１および第２の主面間を連結するように延びる、相対向する第１および第２の端面ならびに相対向する第１および第２の側面とを有する、直方体状のコンデンサ本体と、第１および第２の端面上にそれぞれ形成される、各々複数個の第１および第２の信号側外部端子電極と、第１および第２の側面上にそれぞれ形成される、各々複数個の第１および第２のグラウンド側外部端子電極とを備えている。
【００３５】
また、上記コンデンサ本体は、主面の延びる方向に延びかつ積層された複数の絶縁層、ならびに絶縁層を介して互いに対向する複数個の信号側内部電極および少なくとも１個のグラウンド側内部電極を備えている。
【００３６】
ここで、複数個の信号側内部電極は、主面の方向に配列され、各信号側内部電極は、第１および第２の端面上にまでそれぞれ引き出される第１および第２の信号側引出し部を有し、第１および第２の信号側引出し部は、それぞれ、前述の第１および第２の信号側外部端子電極に電気的に接続される。
【００３７】
他方、グラウンド側内部電極は、第１および第２の主面上にまでそれぞれ引き出される第１および第２のグラウンド側引出し部を有し、第１および第２のグラウンド側引出し部は、それぞれ、前述の第１および第２のグラウンド側外部端子電極に電気的に接続される。
【００３８】
そして、前述した技術的課題を解決するため、第１および第２のグラウンド側引出し部は、それぞれ、複数個あり、各複数個の第１および第２のグラウンド側引出し部が、それぞれ、隣り合うものの間で間隔を隔てた状態で、第１および第２の側面に沿って配列されていることを特徴としている。
【００３９】
【発明の実施の形態】
図１は、この発明の第１の実施形態による積層貫通型コンデンサ２１の外観を示す斜視図である。図２は、図１に示した積層貫通型コンデンサ２１の内部構造を特定の断面をもって示す平面図であり、（ａ）と（ｂ）とは互いに異なる断面を表している。
【００４０】
積層貫通型コンデンサ２１は、相対向する第１および第２の主面２２および２３と、第１および第２の主面２２および２３間を連結するように延びる、相対向する第１および第２の端面２４および２５ならびに相対向する第１および第２の側面２６および２７とを有する、直方体状のコンデンサ本体２８を備えている。
【００４１】
コンデンサ本体２８の第１および第２の端面２４および２５上には、それぞれ、第１および第２の信号側外部端子電極２９および３０が形成されている。他方、第１および第２の側面２６および２７上には、それぞれ、各複数個の、たとえば各４個の第１および第２のグラウンド側外部端子電極３１ａ〜３１ｄおよび３２ａ〜３２ｄが形成されている。
【００４２】
これら信号側外部端子電極２９および３０ならびにグラウンド側外部端子電極３１ａ〜３１ｄおよび３２ａ〜３２ｄは、たとえば、導電性金属粉末およびガラスフリットを含む導電性ペーストを付与し、焼き付けることによって形成され、さらに、必要に応じて、その上にめっきが施されることもある。
【００４３】
コンデンサ本体２８は、その主面２２および２３の方向に延びかつ積層された複数の絶縁層３３、ならびに絶縁層３３を介して互いに対向する少なくとも１対の信号側内部電極３４およびグラウンド側内部電極３５を備えている。絶縁層３３は、たとえば誘電体セラミックを含むセラミックグリーンシートの焼結体から構成される。また、内部電極３４および３５は、導電性ペーストの焼結体から構成される。信号側内部電極３４は、積層貫通型コンデンサ２１において、貫通導体を構成するものである。
【００４４】
信号側内部電極３４が図２（ａ）に示され、グラウンド側内部電極３５が図２（ｂ）に示されていることからわかるように、図２（ａ）は、信号側内部電極３４が通る断面を示し、図２（ｂ）は、グラウンド側内部電極３５が通る断面を示している。
【００４５】
図２（ａ）に示すように、信号側内部電極３４は、第１および第２の端面２４および２５上にまでそれぞれ引き出される第１および第２の信号側引出し部３６および３７を有し、これら第１および第２の信号側引出し部３６および３７は、それぞれ、第１および第２の信号側外部端子電極２９および３０に電気的に接続される。
【００４６】
他方、図２（ｂ）に示すように、グラウンド側内部電極３５は、第１および第２の側面２６および２７上にまでそれぞれ引き出される各複数個の、たとえば各４個の第１および第２のグラウンド側引出し部３８ａ〜３８ｄおよび３９ａ〜３９ｄを有し、これら第１および第２のグラウンド側引出し部３８ａ〜３８ｄおよび３９ａ〜３９ｄは、それぞれ、第１および第２のグラウンド側外部端子電極３１ａ〜３１ｄおよび３２ａ〜３２ｄに電気的に接続される。
【００４７】
上述の各複数個の第１および第２のグラウンド側引出し部３８ａ〜３８ｄおよび３９ａ〜３９ｄは、図２（ｂ）に示すように、それぞれ、隣り合うものの間で間隔４０を隔てた状態で、第１および第２の側面２６および２７に沿って配列されている。
【００４８】
上述のように、所定の間隔４０を隔てた状態で、各複数個の第１および第２のグラウンド側引出し部３８ａ〜３８ｄおよび３９ａ〜３９ｄが設けられることによって、絶縁層３０となるセラミックグリーンシートの側面２６および２７に対応する辺に沿って、隣り合うセラミックグリーンシート間で互いに密着し得る部分が複数箇所に分布するように形成されることができる。したがって、セラミックグリーンシート間の密着力が向上し、剥がれの問題を生じさせにくくすることができる。
【００４９】
この実施形態の他の特徴として、第１のグラウンド側引出し部３８ａ〜３８ｄと第２のグラウンド側引出し部３９ａ〜３９ｄとが、側面２６および２７と平行に延びる主面２２および２３の中心線を対称軸として対称に配置されていることがある。このような構成を採用することにより、高周波特性をより良好にすることができる。
【００５０】
この実施形態のさらに他の特徴として、端部に位置する第１のグラウンド側引出し部３８ａおよび３８ｄならびに第２のグラウンド側引出し部３９ａおよび３９ｄの各位置についての特徴がある。すなわち、これら端部に位置する第１および第２のグラウンド側引出し部３８ａおよび３８ｄならびに３９ａおよび３９ｄは、グラウンド側内部電極３５の、側面２６および２７と平行に延びる各辺の端部に配置されている。これによって、たとえばグラウンド側引出し部３８ａの左端とグラウンド側引出し部３８ｄの右端との間の距離すなわち引出し最外幅Ｗ１を、限られた寸法内において、最も広くとることができる。このような構成を採用すれば、高周波特性をより良好なものとすることができる。
【００５１】
また、この実施形態では、各複数個のグラウンド側外部端子電極３１ａ〜３１ｄおよび３２ａ〜３２ｄが形成されている。そのため、側面２６および２７の各々に比較的幅広の１個のグラウンド側外部端子電極を形成する場合と比較して、その形成のために用いられる導電性ペーストの粘度をより高めることができる。比較的幅広のグラウンド側外部端子電極を形成する場合には、導電性ペーストを広い面積にわたって広げることを可能にするために、その粘度を低くしなければならない。前述のように、導電性ペーストの粘度が高められると、印刷時におけるにじみが小さくなり、グラウンド側外部端子電極３１ａ〜３１ｄおよび３２ａ〜３２ｄの各々の寸法精度を高めることができる。
【００５２】
また、ガラスフリットを含む導電性ペーストが焼成されるとき、グラウンド側外部端子電極の中央部において、ガラス成分の濃度が高められる傾向がある。他方、比較的幅広のグラウンド側外部端子電極を形成するために付与される導電性ペーストは、必然的に、その厚みが増すことになる。これらのことが原因となって、グラウンド側外部端子電極の面積が広い場合、焼成後のグラウンド側外部端子電極の中央部の比較的広い領域において、ガラス成分の濃度が高い領域が形成され、その上にめっき膜を均一に析出させることが困難になることがある。
【００５３】
これに対して、この実施形態のように、複数箇所に分布されたグラウンド側外部端子電極３１ａ〜３１ｄおよび３２ａ〜３２ｄによれば、上述のような問題を生じさせにくくすることができる。
【００５４】
また、グラウンド側外部端子電極３１ａ〜３１ｄおよび３２ａ〜３２ｄの各々は、図１に示した状態からわかるように、第１および第２の主面２２および２３の各一部にまで延びる延長部４１を有している。比較的幅広のグラウンド側外部端子電極が形成される場合には、その延長部において厚みのばらつきがより大きくなる傾向があり、そのため、実装面となる主面側において比較的大きな段差が形成されることがある。このような比較的大きな段差は、実装不良をもたらすことがある。
【００５５】
これに対して、分割されたグラウンド側外部端子電極３１ａ〜３１ｄおよび３２ａ〜３２ｄでは、延長部４１での厚みのばらつきがそれほど生じないため、実装不良をより生じさせにくくすることができる。
【００５６】
上述したグラウンド側外部端子電極の形成態様に関して、次のような実施形態も可能である。
【００５７】
図３は、この発明の第２の実施形態による積層貫通型コンデンサ２１ａの第２の側面２７側を示す正面図である。図３において、図１に示した要素に相当する要素には同様の参照符号を付し、重複する説明は省略する。
【００５８】
図３に示した積層貫通型コンデンサ２１ａでは、第２の側面２７側のみが図示されているが、各々複数個の第１および第２のグラウンド側外部端子電極３１ａ〜３１ｄおよび３２ａ〜３２ｄについて、それぞれ、第１および第２の側面２６および２７の端部に位置するものが中央部に位置するものより幅方向寸法が小さくされていることを特徴としている。より具体的には、端部に位置するグラウンド側外部端子電極３１ａおよび３１ｄならびに３２ａおよび３２ｄが、中央部にちするグラウンド側外部端子電極３１ｂおよび３１ｃならびに３２ｂ〜３２ｃより幅方向寸法が小さくされている。
【００５９】
上述のように、端部に位置するグラウンド側外部端子電極３１ａおよび３１ｄならびに３２ａおよび３２ｄの幅方向寸法を小さくすることにより、これらを形成するための導電性ペーストのにじみを少なくすることができ、したがって、端面２４および２５上に形成された信号側外部端子電極２９および３０との間での不所望な電気的短絡を生じさせにくくすることができる。
【００６０】
図４は、この発明の第３の実施形態による積層貫通型コンデンサ２１ｂの第２の側面２７側を示す正面図である。図４において、図１に示した要素に相当する要素には同様の参照符号を付し、重複する説明は省略する。
【００６１】
図４に示した積層貫通型コンデンサ２１ｂの第２の側面２７側の構成について説明すると、中央部に位置する第２のグラウンド側外部端子電極３２ｅが比較的幅広に形成されている。この中央部に位置する第２のグラウンド側外部端子電極３２ｅは、図２（ｂ）に示した中央に位置する２個の第２のグラウンド側引出し部３９ｂおよび３９ｃに共通に電気的に接続されても、図示しないが、図２（ｂ）に示した中央に位置する２個の第２のグラウンド側引出し部３９ｂおよび３９ｃが１個の引出し部として形成され、この引出し部に電気的に接続されてもよい。
【００６２】
また、図４に示した積層貫通型コンデンサ２１ｂにおいても、図３に示した積層貫通型コンデンサ２１ａの場合と同様、端部に位置するグラウンド側外部端子電極３２ａおよび３２ｄが中央部に位置するグラウンド側外部端子電極３２ｅより幅方向寸法が小さい構成が与えられている。
【００６３】
なお、図４では図示しないが、第１の側面２６側に形成される第１のグラウンド側外部端子電極についても、同様の構成が採用されている。
【００６４】
次に、この発明の効果を確認するために実施した実験例について説明する。
【００６５】
この実験例では、試料Ａとして、図５に示すようなグラウンド側内部電極３５ａを備えるもの、試料Ｂとして、図６に示すようなグラウンド側内部電極３５ｂを備えるもの、試料Ｃとして、図７に示すようなグラウンド側内部電極３５ｃを備えるもの、試料Ｄとして、図８に示すようなグラウンド側内部電極３５ｄを備えるもの、および、試料Ｅとして、前述の図２（ｂ）に示すようなグラウンド側内部電極３５を備えるものをそれぞれ作製した。
【００６６】
なお、図５ないし図８にそれぞれ示した試料Ａ〜Ｄは、グラウンド側内部電極３５ａ〜３５ｄならびにこれに関連するグラウンド側引出し部およびグラウンド側外部端子電極についてのみ、試料Ｅとしての積層貫通型コンデンサ２１と異なっており、たとえば信号側内部電極３４等の他の構成については、積層貫通型コンデンサ２１と実質的に同様である。
【００６７】
試料Ａ〜Ｅの各々に係る積層貫通型コンデンサでは、１００層の信号側内部電極と１００層のグラウンド側内部電極とを交互に積層し、隣り合う信号側内部電極とグラウンド側内部電極との間に介在する絶縁層の厚みを３．０μｍとし、これら信号側内部電極およびグラウンド側内部電極が配置された積層体の上下に厚み５０μｍとなるように絶縁層をさらに積層した。また、得られたコンデンサ本体は、その長手方向寸法を２．０ｍｍとし、幅方向寸法を１．２ｍｍとし、厚み方向寸法を０．８ｍｍとした。
【００６８】
また、グラウンド側内部電極の側面方向に測定した寸法は、試料Ａ〜Ｅのいずれについても、１．５ｍｍとした。
【００６９】
個々の試料について、その特徴的構成を説明すると、図５に示すように、試料Ａでは、グラウンド側内部電極３５ａは、最も左端の第１および第２のグラウンド側引出し部３８ａおよび３９ａのみを有し、これらグラウンド側引出し部３８ａおよび３９ａの各幅Ｗ２は０．１ｍｍとした。
【００７０】
図６に示すように、試料Ｂでは、グラウンド側内部電極３５ｂは、左側の各２個の第１および第２のグラウンド側引出し部３８ａおよび３８ｂならびに３９ａおよび３９ｂのみを有し、グラウンド側引出し部３８ａおよび３８ｂならびに３９ａおよび３９ｂの各々の幅Ｗ２は０．１ｍｍとした。そして、引出し最外幅Ｗ１は０．６ｍｍとした。
【００７１】
図７に示すように、試料Ｃでは、グラウンド側内部電極３５ｃは、両端の第１および第２のグラウンド側引出し部３８ａおよび３８ｄならびに３９ａおよび３９ｄのみを有し、これらグラウンド側引出し部３８ａおよび３８ｄならびに３９ａおよび３９ｄの各々の幅Ｗ２は０．１ｍｍとした。そして、引出し最外幅Ｗ１は、グラウンド側内部電極３５ｃの側面２６および２７方向の寸法と同じ１．５ｍｍとした。
【００７２】
図８に示すように、試料Ｄでは、グラウンド側内部電極３５ｄは、左側の各３個の第１および第２のグラウンド側引出し部３８ａ、３８ｂおよび３８ｃならびに３９ａ、３９ｂおよび３９ｃのみを有し、これらグラウンド側引出し部３８ａ、３８ｂおよび３８ｃならびに３９ａ、３９ｂおよび３９ｃの各々の幅は０．１ｍｍとした。そして、引出し最外幅Ｗ１は１．０ｍｍとした。
【００７３】
図２（ｂ）に示すように、試料Ｅでは、グラウンド側内部電極３５は、各４個の第１および第２のグラウンド側引出し部３８ａ〜３８ｄおよび３９ａ〜３９ｄを有し、これらグラウンド側引出し部３８ａ〜３８ｄおよび３９ａ〜３９ｄの各々の幅Ｗ２は０．１ｍｍとした。そして、引出し最外幅Ｗ１は、グラウンド側内部電極３５の側面２６および２７方向の寸法と同じ１．５ｍｍとした。
【００７４】
これら試料Ａ〜Ｅのうち、試料Ａは、この発明の範囲外にある比較例であり、試料Ｂ〜Ｅは、この発明の範囲内のものである。
【００７５】
図９には、上述の試料Ａ〜Ｅの各々について、ノイズ除去効果を確認するために求められた挿入損失特性が示されている。
【００７６】
図９に示すように、試料Ａ、Ｂ、Ｃ、Ｄ、Ｅの順で、挿入損失特性がより向上し、ノイズ除去効果がより高められていることがわかる。
【００７７】
この発明の範囲内にある試料Ｂ、ＤおよびＥの間で比較すると、グラウンド側引出し部の数が増えかつ引出し最外幅Ｗ１がより広くなるほど、挿入損失特性が向上していることがわかる。これは、試料Ｂ、Ｄ、Ｅの順に、ＥＳＬがより小さくなっているためである。
【００７８】
また、試料ＢとＣとの間で比較すると、グラウンド側引出し部の数が互いに同じであるにも関わらず、試料Ｃでは、引出し最外幅Ｗ１がより広くなっている。その結果、試料Ｃによれば、試料Ｂに比べて、挿入損失特性が向上している。このことから、引出し最外幅Ｗ１がより広いほど、ＥＳＬをより小さくできることがわかる。
【００７９】
また、試料ＣとＥとを比較すると、引出し最外幅Ｗ１が互いに同じであるにも関わらず、試料Ｅではグラウンド側引出し部の数が多くなっている。その結果、試料Ｅによれば、試料Ｃに比べて、挿入損失特性が向上している。このことから、グラウンド側引出し部の数がより多いほど、ＥＳＬをより小さくできることがわかる。
【００８０】
以上、この発明に係る積層貫通型コンデンサについて、図示した実施形態に基づいて説明したが、この発明の範囲内において、その他、種々の変形例が可能である。
【００８１】
たとえば、図示の実施形態では、側面２６および２７は、主面２２および２３のより長い辺に沿って延びるものであったが、逆に、主面のより短い辺に沿って延びるものが側面とされてもよい。
【００８２】
また、図示の実施形態では、第１および第２のグラウンド側外部端子電極が、それぞれ、第１および第２の主面上に別々に形成されたが、グラウンド側端子電極が、コンデンサ本体を周回するように形成され、このようなグラウンド側外部端子電極の一部分が第１のグラウンド側外部端子電極となり、他の部分が第２のグラウンド側外部端子電極となるようにされてもよい。
【００８３】
また、信号側内部電極およびグラウンド側内部電極の数は、除去されるべきノイズの周波数に応じて、任意に変更することができる。
【００８４】
図１０は、この発明の他の実施形態としての積層貫通型コンデンサアレイ５１の外観を示す斜視図であり、図１１は、図１０に示した積層貫通型コンデンサアレイ５１の内部構造を特定の断面をもって示す平面図であり、（ａ）と（ｂ）とは互いに異なる断面を表している。
【００８５】
積層貫通型コンデンサアレイ５１は、相対向する第１および第２の主面５２および５３と、第１および第２の主面５２および５３間を連結するように延びる、相対向する第１および第２の端面５４および５５ならびに相対向する第１および第２の側面５６および５７とを有する、直方体状のコンデンサ本体５８を備えている。
【００８６】
コンデンサ本体５８の第１および第２の端面５４および５５上には、それぞれ、各複数個の、たとえば各３個の第１および第２の信号側外部端子電極５９ａ〜５９ｃおよび６０ａ〜６０ｃが形成されている。
【００８７】
他方、コンデンサ本体５８の第１および第２の側面５６および５７上には、それぞれ、各複数個の、たとえば各４個の第１および第２のグラウンド側外部端子電極６１ａ〜６１ｄおよび６２ａ〜６２ｄが形成されている。
【００８８】
コンデンサ本体５８は、主面５２および５３方向に延びかつ積層された複数の絶縁層６３、ならびに絶縁層６３を介して互いに対向する複数個の、たとえば３個の信号側内部電極６４ａ〜６４ｃならびに少なくとも１個のグラウンド側内部電極６５を備えている。複数個の信号側内部電極６４ａ〜６４ｃは、主面５２および５３の方向に配列されている。
【００８９】
信号側内部電極６４ａ〜６４ｃが図１１（ａ）に示され、グラウンド側内部電極６５が図１１（ｂ）に示されていることからわかるように、図１１（ａ）は、信号側内部電極６４ａ〜６４ｃが通る断面を示し、図１１（ｂ）は、グラウンド側内部電極６５が通る断面を示している。
【００９０】
図１１（ａ）に示すように、信号側内部電極６４ａ〜６４ｃは、第１および第２の端面５４および５５上にまでそれぞれ引き出される第１の信号側引出し部６６ａ〜６６ｃおよび第２の信号側引出し部６７ａ〜６７ｃを有している。第１の信号側引出し部６６ａ〜６６ｃは、それぞれ、第１の信号側外部端子電極５９ａ〜５９ｃに電気的に接続され、第２の信号側引出し部６７ａ〜６７ｃは、それぞれ、第２の信号側外部端子電極６０ａ〜６０ｃに電気的に接続される。
【００９１】
他方、図１１（ｂ）に示すように、グラウンド側内部電極６５は、第１および第２の側面５６および５７上にまでそれぞれ引き出される各複数個の、たとえば各４個の第１および第２のグラウンド側引出し部６８ａ〜６８ｄおよび６９ａ〜６９ｄを有している。これら第１のグラウンド側引出し部６８ａ〜６８ｄは、それぞれ、第１のグラウンド側外部端子電極６１ａ〜６１ｄに電気的に接続され、第２のグラウンド側引出し部６９ａ〜６９ｄは、それぞれ、第２のグラウンド側外部端子電極６２ａ〜６２ｄに電気的に接続される。
【００９２】
このように、この実施形態では、各複数個の第１および第２のグラウンド側引出し部６８ａ〜６８ｄおよび６９ａ〜６９ｄが設けられ、それぞれ、隣り合うものの間で間隔７０を隔てた状態で、第１および第２の側面５６および５７に沿って配列されていることを特徴としている。
【００９３】
このような積層貫通型コンデンサアレイ５１によれば、前述した積層貫通型コンデンサ２１の場合と同様の効果が得られる。
【００９４】
【発明の効果】
以上のように、この発明に係る積層貫通型コンデンサによれば、第１および第２のグラウンド側引出し部が、それぞれ、複数個あり、各複数個の第１および第２のグラウンド側引出し部が、それぞれ、隣り合うものの間で間隔を隔てた状態で、第１および第２の側面に沿って配列されているので、引出し部の引出し最外幅をより広げたり、引出し部の数を増やしたりすることにより、ＥＳＬの低減を可能にし、挿入損失特性の向上を図れ、その結果、ノイズ除去効果を高めることができるとともに、製造工程における絶縁層となるセラミックグリーンシート間の密着力を向上させることができるので、剥がれの問題を生じさせにくくすることができる。
【００９５】
この発明に係る積層貫通型コンデンサにおいて、第１のグラウンド側引出し部と第２のグラウンド側引出し部とが、側面と平行に延びる主面の中心線を対称軸として対称に配置されていたり、あるいは、第１および第２のグラウンド側引出し部の各々の少なくとも一部が、グラウンド側内部電極の、側面と平行に延びる各辺の端部に配置されていたりすると、挿入損失特性のさらなる向上を期待することができ、ノイズ除去効果をより高めることができる。
【００９６】
この発明に係る積層貫通型コンデンサにおいて、各複数個の第１および第２のグラウンド側引出し部の各々に電気的に接続されるように、各複数個の第１および第２のグラウンド側外部端子電極が形成されていると、グラウンド側外部端子電極の幅方向寸法を小さくすることができ、そのため、これらグラウンド側外部端子電極を導電性ペーストをもって形成する場合、導電性ペーストの粘度を高めることが可能となり、印刷時のにじみを生じさせにくくすることができる。そのため、各グラウンド側外部端子電極の寸法精度を高めることができる。また、焼成後のグラウンド側外部端子電極において、その中央部でのガラス成分の濃度が高くなっても、それによる悪影響を低減することができ、そのため、グラウンド側外部端子電極上に適正な状態でめっき膜を形成することが可能になる。
【００９７】
この発明に係る積層貫通型コンデンサにおいて、各々複数個の第１および第２のグラウンド側外部端子電極について、それぞれ、第１および第２の側面の端部に位置するものが中央部に位置するものより幅方向寸法が小さくされると、にじみの問題がたとえ生じたとしても、端面上に形成される信号側外部端子電極との間での電気的短絡の問題を生じさせにくくすることができる。
【００９８】
この発明に係る積層貫通型コンデンサアレイによれば、上述した積層貫通型コンデンサと実質的に同様の特徴的構成を備えているので、実質的に同様の効果が奏される。
【図面の簡単な説明】
【図１】この発明の第１の実施形態による積層貫通型コンデンサ２１の外観を示す斜視図である。
【図２】図１に示した積層貫通型コンデンサ２１の内部構造を特定の断面をもって示す平面図であり、（ａ）は、信号側内部電極３４が通る断面を示し、（ｂ）は、グラウンド側内部電極３５が通る断面を示している。
【図３】この発明の第２の実施形態による積層貫通型コンデンサ２１ａの第２の側面２７側を示す正面図である。
【図４】この発明の第３の実施形態による積層貫通型コンデンサ２１ｂの第２の側面２７側を示す正面図である。
【図５】実験例において作製された試料Ａのグラウンド側内部電極３５ａを示す、図２（ｂ）に対応する図である。
【図６】実験例において作製された試料Ｂのグラウンド側内部電極３５ｂを示す、図２（ｂ）に対応する図である。
【図７】実験例において作製された試料Ｃのグラウンド側内部電極３５ｃを示す、図２（ｂ）に対応する図である。
【図８】実験例において作製された試料Ｄのグラウンド側内部電極３５ｄを示す、図２（ｂ）に対応する図である。
【図９】実験例によって得られた試料Ａ〜Ｅの各々についてのノイズ除去効果を確認するために求められた挿入損失特性を示す図である。
【図１０】この発明の他の実施形態としての積層貫通型コンデンサアレイ５１の外観を示す斜視図である。
【図１１】図１０に示した積層貫通型コンデンサアレイ５１の内部構造を特定の断面をもって示す平面図であり、（ａ）は、信号側内部電極６４ａ〜６４ｃが通る断面を示し、（ｂ）は、グラウンド側内部電極６５が通る断面を示している。
【図１２】この発明にとって興味ある従来の積層貫通型コンデンサ１の内部構造を特定の断面をもって示す平面図であり、（ａ）は、信号側内部電極１２が通る断面を示し、（ｂ）は、グラウンド側内部電極１３が通る断面を示している。
【図１３】この発明にとって興味ある他の従来の積層貫通型コンデンサ１ａを示す、図１２（ｂ）に対応する図である。
【符号の説明】
２１，２１ａ，２１ｂ  積層貫通型コンデンサ
２２，５２  第１の主面
２３，５３  第２の主面
２４，５４  第１の端面
２５，５５  第２の端面
２６，５６  第１の側面
２７，５７  第２の側面
２８，５８  コンデンサ本体
２９，５９ａ〜５９ｃ  第１の信号側外部端子電極
３０，６０ａ〜６０ｃ  第２の信号側外部端子電極
３１ａ〜３１ｄ，６１ａ〜６１ｄ  第１のグラウンド側外部端子電極
３２ａ〜３２ｄ，３２ｅ，６２ａ〜６２ｄ  第２のグラウンド側外部端子電極
３３，６３  絶縁層
３４，６４ａ〜６４ｃ  信号側内部電極
３５，３５ａ〜３５ｄ，６５  グラウンド側内部電極
３６，６６ａ〜６６ｃ  第１の信号側引出し部
３７，６７ａ〜６７ｃ  第２の信号側引出し部
３８ａ〜３８ｄ，６８ａ〜６８ｄ  第１のグラウンド側引出し部
３９ａ〜３９ｄ，６９ａ〜６９ｄ  第２のグラウンド側引出し部
４０，７０  間隔
【図１】
2005032900.tif 000003
【図２】
2005032900.tif 000004
【図３】
2005032900.tif 000005
【図４】
2005032900.tif 000006
【図５】
2005032900.tif 000007
【図６】
2005032900.tif 000008
【図７】
2005032900.tif 000009
【図８】
2005032900.tif 000010
【図９】
2005032900.tif 000011
【図１０】
2005032900.tif 000012
【図１１】
2005032900.tif 000013
【図１２】
2005032900.tif 000014
【図１３】
2005032900.tif 000015